(57)【要約】【課題】  エレベータの点検作業時に「点検中」であることを利用者に報知するとともに、点検作業完了後に、作業員による故障信号カットスイッチのＯＦＦ操作のし忘れ防止を支援するエレベータ制御装置を提供する。【解決手段】  実施形態によればエレベータ制御装置は、エレベータ内で発生した故障信号を無効にするための故障信号カットスイッチに接続されるとともに、各階のエレベータ乗場に設置された乗場表示装置および乗りかご内に設置されたかご内表示装置に接続されている。当該エレベータ制御装置は、故障信号カットスイッチがＯＮ状態に操作されたことを検知すると、乗場表示装置およびかご内表示装置に点検中であることを示すテキスト文字を表示させ、故障信号カットスイッチがＯＦＦ状態に操作されたことを検知すると、乗場表示装置およびかご内表示装置への、点検中であることを示すテキスト文字の表示を停止させる表示制御部を備える。【選択図】図１
2015048226.tif 000002
【特許請求の範囲】
【請求項１】
エレベータ内で発生した故障信号を無効にするための故障信号カットスイッチに接続されるとともに、前記エレベータの各階のエレベータ乗場に設置された乗場表示装置および前記エレベータの乗りかご内に設置されたかご内表示装置に接続されたエレベータ制御装置において、
前記故障信号カットスイッチがＯＮ状態に操作されたことを検知すると、前記乗場表示装置および前記かご内表示装置に、点検中であることを示すテキスト文字を表示させ、前記故障信号カットスイッチがＯＦＦ状態に操作されたことを検知すると、前記乗場表示装置および前記かご内表示装置への、点検中であることを示すテキスト文字の表示を停止させる表示制御部
を備えることを特徴とするエレベータ制御装置。
【発明の詳細な説明】
【技術分野】
【０００１】
本発明の実施形態は、エレベータ制御装置に関する。
【背景技術】
【０００２】
従来、エレベータの点検作業が行われる際は、エレベータに設置された故障信号カットスイッチが作業員によりＯＮ状態に操作される。
【０００３】
故障信号カットスイッチがＯＮ状態に操作されることにより、点検作業に伴う不必要な故障信号の発報が阻止され、作業効率を向上させることができる。
【先行技術文献】
【特許文献】
【０００４】
【特許文献１】特開平９−１６５１５４号公報
【発明の概要】
【発明が解決しようとする課題】
【０００５】
しかし上述した故障信号カットスイッチは作業員により手動で操作されるものであるため、点検作業完了後に、ＯＦＦ状態への操作のし忘れが発生することがあるという問題があった。
【０００６】
また一方で、エレベータの点検作業時に、「点検中」であることを利用者に効率よく知らせるための技術が望まれていた。
【０００７】
本発明は上記事情に鑑みてなされたものであり、エレベータの点検作業時に「点検中」であることを利用者に報知するとともに、点検作業完了後に、作業員による故障信号カットスイッチのＯＦＦ操作のし忘れ防止を支援するエレベータ制御装置を提供することを目的とする。
【課題を解決するための手段】
【０００８】
上記目的を達成するための実施形態によればエレベータ制御装置は、エレベータ内で発生した故障信号を無効にするための故障信号カットスイッチに接続されるとともに、各階のエレベータ乗場に設置された乗場表示装置および乗りかご内に設置されたかご内表示装置に接続されている。当該エレベータ制御装置は、故障信号カットスイッチがＯＮ状態に操作されたことを検知すると、乗場表示装置およびかご内表示装置に点検中であることを示すテキスト文字を表示させ、故障信号カットスイッチがＯＦＦ状態に操作されたことを検知すると、乗場表示装置およびかご内表示装置への、点検中であることを示すテキスト文字の表示を停止させる表示制御部を備える。
【図面の簡単な説明】
【０００９】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。
【図４】一実施形態によるエレベータ制御装置の制御により「点検中」の文字が表示された状態の乗場表示装置およびかご内表示装置の一例を示す外観図。
【発明を実施するための形態】
【００１０】
〈一実施形態によるエレベータ制御装置を利用したエレベータシステムの構成〉
本発明の一実施形態によるエレベータ制御装置を利用したエレベータシステム１の構成を、図１を参照して説明する。
【００１１】
本実施形態によるエレベータシステム１は、３階建ての建物に設置されたエレベータを管理し、１階のエレベータ乗場に設置された乗場操作盤１０−１と、２階のエレベータ乗場に設置された乗場操作盤１０−２と、３階のエレベータ乗場に設置された乗場操作盤１０−３およびホールメンテナンスボックス（ＨＭＢ）２０と、乗りかご内に設置されたかご内操作盤３０と、各乗場操作盤１０−１〜１０−３、ＨＭＢ２０、およびかご内操作盤３０に接続されたエレベータ制御装置４０と、エレベータ制御装置４０にネットワーク５０を介して設置された監視センタ装置６０とを備える。ＨＭＢ２０は例えば建物の最上階のエレベータ乗場に設置されるものであり、ＨＭＢ２０の操作面上に乗場操作盤１０−３が重ねて設置されている。
【００１２】
乗場操作盤１０−１には、乗場表示装置１１−１と、利用者が上方向に移動する際に操作する呼び登録ボタン１２−１とが設置されている。また乗場操作盤１０−２には、乗場表示装置１１−２と、利用者が上方向に移動する際に操作する呼び登録ボタン１２−２ａと、利用者が下方向に移動する際に操作する呼び登録ボタン１２−２ｂとが設置されている。また乗場操作盤１０−３には、乗場表示装置１１−３と、利用者が下方向に移動する際に操作する呼び登録ボタン１２−３とが設置されている。
【００１３】
またＨＭＢ２０には、ＨＭＢ基板２１が設置され、このＨＭＢ基板２１上に故障信号カットスイッチ（ＦＤＳスイッチ）２２が設置されている。通常運転時は、エレベータ内で故障が発生すると故障信号がエレベータ制御装置４０を介して監視センタ装置６０に送信されるが、点検作業時は作業員によりこのＦＤＳスイッチ２２がＯＮ状態に操作されることで、故障信号の発報がエレベータ制御装置４０で阻止され、監視センタ装置６０への送信処理が停止されるように設定される。
【００１４】
またかご内操作盤３０には、かご内表示装置３１と、利用者が行き先階を操作するための行き先階登録ボタン群３２と、利用者が乗りかごを戸開閉操作するための戸開閉ボタン３３とが設置されている。
【００１５】
エレベータ制御装置４０は、図２に示すように、ＦＤＳスイッチ操作情報取得部４１と、故障信号処理部４２と、表示制御部４３とを有する。
【００１６】
ＦＤＳスイッチ操作情報取得部４１は、ＦＤＳスイッチ２２がＯＮ状態に操作されたことを検知したとき、および、ＦＤＳスイッチ２２がＯＮ状態からＯＦＦ状態に操作されたことを検知したときに、故障信号処理部４２および表示制御部４３に当該検知内容を通知する。
【００１７】
故障信号処理部４２は、通常運転時にエレベータ内の機器で発生した故障信号を受信すると、ネットワーク５０を介して監視センタ装置６０に送信する。また、ＦＤＳスイッチ操作情報取得部４１から、ＦＤＳスイッチ２２がＯＮ状態に操作されたことが通知されると、監視センタ装置６０への故障信号の送信処理を中止する。また、ＦＤＳスイッチ操作情報取得部４１から、ＦＤＳスイッチ２２がＯＮ状態からＯＦＦ状態に操作されたことが通知されると、監視センタ装置６０への故障信号の送信処理を復帰させる。
【００１８】
表示制御部４３は、通常運転時には、乗場表示装置１１−１〜１１−３およびかご内表示装置３１に、乗りかごの現在位置および走行方向を表示させる。またＦＤＳスイッチ操作情報取得部４１から、ＦＤＳスイッチ２２がＯＮ状態に操作されたことが通知されると、乗場表示装置１１−１〜１１−３およびかご内表示装置３１に「点検中」であることを示すテキスト文字を表示させるように切り替える。また、ＦＤＳスイッチ操作情報取得部４１から、ＦＤＳスイッチ２２がＯＮ状態からＯＦＦ状態に操作されたことが通知されると、乗場表示装置１１−１〜１１−３およびかご内表示装置３１への「点検中」であることを示すテキスト文字の表示を停止させ、乗りかごの現在位置および走行方向を表示させるように切り替える。
【００１９】
監視センタ装置６０は、エレベータ制御装置４０から送信された故障信号を受信するとこれに対応し、監視員に報知する表示や音声の出力を行ったり所定の制御信号をエレベータ制御装置４０に送信したりする。
【００２０】
〈一実施形態によるエレベータ制御装置を利用したエレベータシステムの動作〉
次に、本実施形態によるエレベータシステム１の動作について説明する。図３は、エレベータシステム１で管理されるエレベータの点検作業が行われる際に、エレベータ制御装置４０で実行される処理を示すフローチャートである。
【００２１】
本実施形態によるエレベータシステム１では、通常運転時はエレベータ制御装置４０の表示制御部４３の制御により、乗場表示装置１１−１〜１１−３およびかご内表示装置３１に、乗りかごの現在位置および走行方向が表示されている。また、通常運転時にエレベータ内で故障信号が発生するとエレベータ制御装置４０の故障信号処理部４２により監視センタ装置６０に送信されるように設定されている（Ｓ１）。
【００２２】
当該エレベータにおいて点検作業が開始される際に、作業員により乗場操作盤１０−３が外されてＨＭＢ２０のＨＭＢ基盤２１上のＦＤＳスイッチ２２がＯＮ状態に操作されると、当該操作がエレベータ制御装置４０のＦＤＳスイッチ操作情報取得部４１で検知される。
【００２３】
ＦＤＳスイッチ操作情報取得部４１においてＦＤＳスイッチ２２がＯＮ状態に操作されたことが検知されると（Ｓ２の「YES」）、故障信号処理部４２および表示制御部４３に通知される（Ｓ３）。
【００２４】
故障信号処理部４２においてＦＤＳスイッチ２２がＯＮ状態に操作されたことが通知されると、監視センタ装置６０への故障信号の送信処理が中止される。また、表示制御部４３においてＦＤＳスイッチ２２がＯＮ状態に操作されたことが通知されると、乗場表示装置１１−１〜１１−３およびかご内表示装置３１に、図４に示すように「点検中」であることを示すテキスト文字を表示させるように切り替えられる（Ｓ４）。
【００２５】
その後点検作業が完了し作業員によりＦＤＳスイッチ２２がＯＦＦ状態に戻されると、当該操作がエレベータ制御装置４０のＦＤＳスイッチ操作情報取得部４１で検知される。
【００２６】
ＦＤＳスイッチ操作情報取得部４１においてＦＤＳスイッチ２２がＯＮ状態からＯＦＦ状態に操作されたことが検知されると（Ｓ５）、故障信号処理部４２および表示制御部４３に通知される（Ｓ６）。
【００２７】
故障信号処理部４２においてＦＤＳスイッチ２２がＯＮ状態からＯＦＦ状態に操作されたことが通知されると、監視センタ装置６０への故障信号の送信処理が復帰される。また、表示制御部４３においてＦＤＳスイッチ２２がＯＮ状態からＯＦＦ状態に操作されたことが通知されると、乗場表示装置１１−１〜１１−３およびかご内表示装置３１への「点検中」であることを示すテキスト文字の表示が停止され、乗りかごの現在位置および走行方向が表示させるように切り替えられる（Ｓ７）。そして、ステップＳ１の通常運転処理に戻る。
【００２８】
以上の本実施形態によれば、点検作業を開始する際に、作業員により必ず操作されるＦＤＳスイッチの状態に連動して、乗場や乗りかご内の表示装置に「点検中」のテキスト文字を表示させるため、作業員の手間をかけることなく確実に、利用者に「点検中」であることを報知することができる。
【００２９】
また、点検作業後にＦＤＳスイッチがＯＮ状態のままであれば、乗場や乗りかごの表示装置に「点検中」のテキスト表示が表示された状態が維持されるため、ＦＤＳスイッチのＯＦＦ操作のし忘れを作業員が視覚で認識しやすくなり、操作のし忘れ防止を支援することができる。
【００３０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
１…エレベータシステム
１０−１〜１０−３…乗場操作盤
１１−１〜１１−３…乗場表示装置
１２−１、１２−２ａ、１２−２ｂ、１２−３…登録ボタン
２０…ホールメンテナンスボックス（ＨＭＢ）
２１…ＨＭＢ基板
２２…ＦＤＳスイッチ
３０…かご内操作盤
３１…かご内表示装置
３２…行き先階登録ボタン群
３３…戸開閉ボタン
４０…エレベータ制御装置
４１…ＦＤＳスイッチ操作情報取得部
４２…故障信号処理部
４３…表示制御部
５０…ネットワーク
６０…監視センタ装置
【図１】
2015048226.tif 000003
【図２】
2015048226.tif 000004
【図３】
2015048226.tif 000005
【図４】
2015048226.tif 000006
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
エレベータ内で発生した故障信号を無効にするための故障信号カットスイッチと、前記エレベータの各階のエレベータ乗場に設置された乗場表示装置および前記エレベータの乗りかご内に設置されたかご内表示装置と、前記エレベータに関する監視制御を行う監視センタ装置とに接続され、前記エレベータ内で故障信号が発生すると当該故障信号を前記監視センタ装置に送信するように設定されているエレベータ制御装置において、
前記故障信号カットスイッチがＯＮ状態またはＯＦＦ状態に操作されたことを検知する故障信号カットスイッチ操作情報取得部と、
前記故障信号カットスイッチ操作情報取得部において前記故障信号カットスイッチがＯＮ状態に操作されたことが検知されると、前記エレベータ内で発生した故障信号の前記監視センタ装置への送信処理を中止させるとともに、前記乗場表示装置および前記かご内表示装置に、前記エレベータが点検中であることを示すテキスト文字を表示させるように切り替え、
前記故障信号カットスイッチがＯＦＦ状態に操作されたことが検知されると、前記エレベータ内で発生した故障信号の前記監視センタ装置への送信処理を復帰させるとともに、前記乗場表示装置および前記かご内表示装置に、前記乗りかごの現在位置および走行方向の情報を表示させるように切り替える制御部
を備えることを特徴とするエレベータ制御装置。
【手続補正２】
【補正対象書類名】明細書
【補正対象項目名】０００８
【補正方法】変更
【補正の内容】
【０００８】
上記目的を達成するための実施形態によればエレベータ制御装置は、エレベータ内で発生した故障信号を無効にするための故障信号カットスイッチと、各階のエレベータ乗場に設置された乗場表示装置および乗りかご内に設置されたかご内表示装置と、エレベータに関する監視制御を行う監視センタ装置とに接続され、エレベータ内で故障信号が発生すると当該故障信号を前記監視センタ装置に送信するように設定されている。またエレベータ制御装置は、故障信号カットスイッチ操作情報取得部と制御部とを備える。故障信号カットスイッチ操作情報取得部は、故障信号カットスイッチがＯＮ状態またはＯＦＦ状態に操作されたことを検知する。制御部は、故障信号カットスイッチ操作情報取得部において故障信号カットスイッチがＯＮ状態に操作されたことが検知されると、エレベータ内で発生した故障信号の監視センタ装置への送信処理を中止させるとともに、乗場表示装置およびかご内表示装置に、エレベータが点検中であることを示すテキスト文字を表示させるように切り替え、故障信号カットスイッチがＯＦＦ状態に操作されたことが検知されると、エレベータ内で発生した故障信号の監視センタ装置への送信処理を復帰させるとともに、乗場表示装置およびかご内表示装置に、乗りかごの現在位置および走行方向の情報を表示させるように切り替える。